(57)【特許請求の範囲】
【請求項１】
振動板に固定されたボビンと、
マグネットと共に磁気回路を形成し位置決め部が形成されたヨークと、
磁気ギャップ内に配置され音声信号が入力される１次コイルと、
上記ボビンに設けられると共に上記磁気ギャップ内に配置される２次コイルとを備え、
上記２次コイルに対向する上端部に上記１次コイルが固着されると共に、下端部がヨークの底部に設けられた位置決め部に取り付けられた筒状体を設け、
上記１次コイルは上記筒状体に固定されることにより上記筒状体に沿って上記ヨークの底部の位置決め部まで案内されるようにした
ことを特徴とするスピーカー装置。
【請求項２】
中心孔を有する環状プレートと、
環状プレートの内側に配置されるセンター部材とを備え、
上記磁気ギャップが環状プレートとセンター部材との間に形成され、
上記１次コイルが、環状プレートと２次コイルとの間又はセンター部材と２次コイルとの間に配置された
ことを特徴とする請求項１に記載のスピーカー装置。
【請求項３】
中心孔を有する環状プレートと、
環状プレートの内側に配置されるセンター部材とを備え、
上記磁気ギャップが環状プレートとセンター部材との間に形成され、
上記１次コイルが、環状プレートの内周面に筒状体を介して固着され又はセンター部材の外周面に筒状体を介して固着された
ことを特徴とする請求項１に記載のスピーカー装置。
【請求項４】
中心孔を有する環状プレートと、
環状プレートの内側に配置されるセンター部材とを備え、
上記磁気ギャップが環状プレートとセンター部材との間に形成され、
上記１次コイルが、環状プレートと２次コイルとの間及びセンター部材と２次コイルとの間にそれぞれ配置された
ことを特徴とする請求項１に記載のスピーカー装置。
【請求項５】
上記ヨークに設けられた位置決め部が段部として形成された
ことを特徴とする請求項１に記載のスピーカー装置。
【請求項６】
上記ヨークに設けられた位置決め部が環状の溝として形成された
ことを特徴とする請求項１に記載のスピーカー装置。
【発明の詳細な説明】
【０００１】
【発明の属する技術分野】
本発明はスピーカー装置に関する。詳しくは、１次コイルの容易な位置決めを可能にすると共に１次コイルの取付強度の向上を図る技術に関する。
【０００２】
【従来の技術】
従来より電磁誘導スピーカーが知られており、このスピーカーにはマグネットが内側に配置されて成る所謂内磁型電磁誘導スピーカーとマグネットが外側に配置されて成る所謂外磁型電磁誘導スピーカーとがある。
【０００３】
図６に示すように、内磁型電磁誘導スピーカー１００はヨーク１１０とマグネット１２０と振動板１３０とを備えている。
【０００４】
ヨーク１１０は円板状の底面部１１１と該底面部１１１の周縁から上方へ突設された周壁部１１２と該周壁部１１２の上縁に設けられた円環状の環状プレート１１３とが一体に形成されて成る。そして、底面部１１１の上面の中心部には円柱状のマグネット１２０が取り付けられている。また、ヨーク１１０は環状プレート１１３の上面がフレーム１４０に取り付けられている。
【０００５】
マグネット１２０の上面には円板状のセンタープレート１５０が取り付けられており、該センタープレート１５０は環状プレート１１３の中心孔１１３ａ内に配置されている。そして、環状プレート１１３とセンタープレート１５０との間に形成された間隙が磁気ギャップ１６０として形成されている。
【０００６】
振動板１３０は中央部に位置する略半球状のドーム部１３１と該ドーム部１３１の外周に連続して設けられた断面形状で小さな円弧状を為すエッジ部１３２とが一体に形成されて成り、エッジ部１３２の外端部がフレーム１４０の上面に取り付けられている。そして、ドーム部１３１の外周縁には円筒状のボビン１７０の上端部が接着等により固定されている。
【０００７】
ボビン１７０の下端寄りの部分には１ターンの２次コイル１７１が巻回されて固定され、該２次コイル１７１が環状プレート１１３とセンタープレート１５０との間に形成された磁気ギャップ１６０内に位置されている。
【０００８】
磁気ギャップ１６０内には２次コイル１７１を挟んで互いに対向するようにして外周側１次コイル１８０と内周側１次コイル１９０とが配置されている。外周側１次コイル１８０はヨーク１１０の環状プレート１１３の内周面に固定され、内周側１次コイル１９０はセンタープレート１５０の外周面に固定され、外周側１次コイル１８０と内周側１次コイル１９０は直列に接続されている。そして、外周側１次コイル１８０と内周側１次コイル１９０の一端はそれぞれ信号引出線１８０ａ、１９０ａに接続されている。
【０００９】
しかして、外周側１次コイル１８０及び内周側１次コイル１９０に電流が供給されると、磁気ギャップ１６０内に配置された２次コイル１７１に誘導電流が流れ、ローレンツ力によって振動板１３０が振動して音声が発生されるようになっている。
【００１０】
また、図７に示すように、外磁型電磁誘導スピーカー２００はヨーク２１０とマグネット２２０と振動板２３０とを備えている。
【００１１】
ヨーク２１０は円板状を為す底面部２１１と該底面部２１１の中心部から上方へ突出されたセンターポール２１２とが一体に形成されて成り、底面部２１１の上面の外端部に円筒状のマグネット２２０が取り付けられている。
【００１２】
マグネット２２０の上面には円環状の環状プレート２４０が取り付けられており、該環状プレート２４０はセンターポール２１２の上端部に対応して位置されている。そして、環状プレート２４０の外端部上面がフレーム２５０に取り付けられている。また、環状プレート２４０とセンターポール２１２との間に形成された間隙が磁気ギャップ２６０として形成されている。
【００１３】
振動板２３０は中央部に位置する断面形状で円弧状を為す中央部２３１と該中央部２３１の外周に連続して設けられ外方へ行くに従って上方へ変位する傾斜部２３２と該傾斜部２３２の外周に連続したエッジ部２３３と中央部２３１の外周に連続して設けられ傾斜部２３２と反対方向へ突出する固定部２３４とから成り、エッジ部２３３の外端部がフレーム２５０の外端部上面に取り付けられている。そして、固定部２３４の先端部には円筒状のボビン２７０の上端部が接着等により固定されている。
【００１４】
ボビン２７０の下端寄りの部分には１ターンの２次コイル２７１が巻回されて固定され、該２次コイル２７１が環状プレート２４０とセンターポール２１２との間に形成された磁気ギャップ２６０内に位置されている。
【００１５】
磁気ギャップ２６０内には２次コイル２７１を挟んで互いに対向するようにして外周側１次コイル２８０と内周側１次コイル２９０とが配置されている。外周側１次コイル２８０は環状プレート２４０の内周面に固定され、内周側１次コイル２９０はセンターポール２１２の外周面の上端部に固定され、外周側１次コイル２８０と内周側１次コイル２９０は直列に接続されている。そして、外周側１次コイル２８０と内周側１次コイル２９０の一端はそれぞれ信号引出線２８０ａ、２９０ａに接続されている。
【００１６】
しかして、外周側１次コイル２８０及び内周側１次コイル２９０に電流が供給されると、磁気ギャップ２６０内に配置された２次コイル２７１に誘導電流が流れ、ローレンツ力によって振動板２３０が振動して音声が発生されるようになっている。
【００１７】
【発明が解決しようとする課題】
ところで、上記した１次コイル１８０、１９０、２８０、２９０を環状プレート１１３、２４０又はセンタープレート１５０若しくはセンターポール２１２に固定する場合には、一般に、以下の２つの方法がある。
【００１８】
（１）図示しない筒状のボビンの外周面に１次コイル１８０、１９０、２８０、２９０を巻回して固定した状態で環状プレート１１３、２４０に内嵌又はセンタープレート１５０若しくはセンターポール２１２に外嵌して接着等により固定する。
【００１９】
（２）ボビンを用いずに１次コイル１８０、１９０、２８０、２９０を巻回した状態で（ボビンレスコイルとして形成する。）環状プレート１１３、２４０に内嵌又はセンタープレート１５０若しくはセンターポール２１２に外嵌して接着等により固定する。
【００２０】
一般に、環状プレート１１３、２４０に内嵌又はセンタープレート１５０若しくはセンターポール２１２に外嵌する上記したボビン及び１次コイル１８０、１９０、２８０、２９０は非常に薄いものであるため機械的強度が弱く、環状プレート１１３、２４０に内嵌又はセンタープレート１５０若しくはセンターポール２１２に外嵌したときに、ボビン及び１次コイル１８０、１９０、２８０、２９０が環状プレート１１３、２４０、センタープレート１５０、センターポール２１２と接触しないようにして破損等が生じないようにする必要がある。
【００２１】
従って、上記した何れの方法にあっても、予め１次コイル１８０、２８０を巻回した状態でその外径を環状プレート１１３、２４０の内径よりも僅かに小さくして、１次コイル１８０、２８０と環状プレート１１３、２４０との間に接着剤を充填して固定し、予め１次コイル１９０、２９０を巻回した状態でその内径をセンタープレート１５０又はセンターポール２１２の外径よりも僅かに大きくして、１次コイル１９０、２９０とセンタープレート１５０又はセンターポール２１２との間に接着剤を充填して固定している。
【００２２】
ところが、環状プレート１１３、２４０、センタープレート１５０及びセンターポール２１２は、ともに厚みが薄いものであるため各周面の面積が小さく、１次コイル１８０、１９０、２８０、２９０と環状プレート１１３、２４０、センタープレート１５０、センターポール２１２との接着強度が弱いという問題がある。
【００２３】
また、通常、内磁型電磁誘導スピーカー１００にあっては、センタープレート１５０に内周側１次コイル１９０を固定してから該センタープレート１５０をヨーク１１０に位置決めされた状態で取り付けられたマグネット１２０に固定する。一方、外磁型電磁誘導スピーカー２００にあっては、環状プレート２４０に外周側１次コイル２８０を固定してから該環状プレート２４０をヨーク１１０に位置決めされた状態で取り付けられたマグネット２２０に固定する。
【００２４】
この固定作業を行う際には、予め磁気ギャップ１６０、２６０の所定のギャップ間隔を保持するために外周側１次コイル１８０と内周側１次コイル１９０との間又は外周側１次コイル２８０と内周側１次コイル２９０との間にギャップゲージを挿入してギャップ間隔が周方向で一定になるように調整して各部材の位置決めを行うが、この位置決め作業時にギャップゲージが１次コイル１８０、１９０、２８０、２９０と接触してしまうと、接着強度が弱いために１次コイル１８０、１９０、２８０、２９０が環状プレート１１３、２４０、センタープレート１５０、センターポール２１２から脱落してしまう虞がある。
【００２５】
そこで、本発明スピーカー装置は、上記した問題点を克服し、１次コイルの容易な位置決めを可能にすると共に１次コイルの取付強度の向上を図ることを課題とする。
【００２６】
【課題を解決するための手段】
本発明スピーカー装置は、上記した課題を解決するために、振動板に固定されたボビンと、マグネットと共に磁気回路を形成し位置決め部が形成されたヨークと、磁気ギャップ内に配置され音声信号が入力される１次コイルと、上記ボビンに設けられると共に上記磁気ギャップ内に配置される２次コイルとを設け、２次コイルに対向する上端部に上記１次コイルが固着されると共に、下端部がヨークの底部に設けられた位置決め部に取り付けられた筒状体を設け、上記１次コイルは上記筒状体に固定されることにより上記筒状体に沿って上記ヨークの底部の位置決め部まで案内されるようにしたものである。
【００２７】
従って、本発明スピーカー装置にあっては、磁気ギャップの所定のギャップ間隔を得るためにギャップゲージを用いる必要がないと共に１次コイルの取付面積が大きくなる。そして、１次コイルのヨークに対する位置決めも極めて容易になる。
【００２８】
【発明の実施の形態】
以下に、本発明スピーカー装置の各実施の形態を添付図面を参照して説明する。
【００２９】
尚、以下に示した実施の形態は、本発明を電磁誘導スピーカーに適用したものである。
【００３０】
先ず、第１の実施の形態として、図１に示す内磁型電磁誘導スピーカー１について説明する。
【００３１】
内磁型電磁誘導スピーカー１はヨーク２とマグネット３と振動板４とを備えている。
【００３２】
ヨーク２は略円板状の底面部５と該底面部５の周縁から上方へ突設された周壁部６と該周壁部６の上縁に設けられた円環状の環状プレート７とが一体に形成されて成る。そして、底面部５の中心部の上面には位置決め部８が形成されている。
【００３３】
位置決め部８は縦断面形状で見て階段状に形成され、第１の段部９と第２の段部１０が底面部５と一体に形成されて成る。第１の段部９は円板状を為し、その外周面９ａが第１の段差面として形成され、上面９ｂが底面部５の上面より稍上方に位置されている。第２の段部１０は第１の段部９より一回り小さい円板状を為し、第１の段部９と同軸上に設けられている。そして、第２の段部１０の外周面１０ａが第２の段差面として形成され、上面１０ｂが第１の段部９の上面９ｂより稍上方に位置されている。
【００３４】
第２の段部１０の上面１０ｂの中央部には円柱状のマグネット３が取り付けられ、該マグネット３は、例えば、第２の段部１０の上面１０ｂに形成された図示しない位置決め凹部に配置されることにより、第２の段部１０と同軸上に配置される。
【００３５】
ヨーク２は環状プレート７の上面がフレーム１１に取り付けられている。そして、環状プレート７の内周面は位置決め部８の中心軸を基準として第１の段部９の第１の段差面９ａより稍外側に位置されている。
【００３６】
マグネット３の上面にはセンター部材として形成された円板状のセンタープレート１２が取り付けられており、該センタープレート１２は環状プレート７の中心孔７ａ内に配置されている。そして、センタープレート１２の周面は位置決め部８の中心軸を基準として第２の段部１０の第２の段差面１０ａと同じ位相に位置されている。また、環状プレート７とセンタープレート１２との間に形成された間隙が磁気ギャップ１３として形成されている。
【００３７】
振動板４は中央部に位置する略半球状のドーム部４ａと該ドーム部４ａの外周に連続して設けられた断面形状で小さな略円弧状を為すエッジ部４ｂとが一体に形成されて成り、エッジ部４ｂの外端部がフレーム１１の上面に取り付けられている。そして、ドーム部４ａの外周縁には円筒状のボビン１４の上端部が接着等により固定されている。
【００３８】
ボビン１４の下端寄りの部分には１ターンの２次コイル１５が巻回されて固定され、該２次コイル１５が環状プレート７とセンタープレート１２との間に形成された磁気ギャップ１３内に位置されている。
【００３９】
磁気ギャップ１３内には２次コイル１５を挟んで互いに対向するようにして外周側１次コイル１６と内周側１次コイル１７とが配置されている。そして、外周側１次コイル１６と内周側１次コイル１７は直列に接続され、それぞれの一端は信号引出線１６ａ、１７ａに接続されている。
【００４０】
外周側１次コイル１６は薄肉の円筒状を為す第１の筒状体１８の上端部外周に巻回されて固定されている。第１の筒状体１８は、その内径が第１の段部９の外径と同じに形成されている。そして、第１の筒状体１８はその下端部内面が位置決め部８の第１の段部９の第１の段差面９ａに接着され、また、第１の筒状体１８に固定された外周側１次コイル１６の外周面が環状プレート７の内周面に接着されている。
【００４１】
第１の筒状体１８に固定された外周側１次コイル１６のヨーク２への固定は、例えば、第１の筒状体１８を上方からヨーク２内へ挿入して下端部を第１の段差面９ａに接着すると共に外周側１次コイル１６の外周面を環状プレート７の内周面に接着することにより行う。
【００４２】
内周側１次コイル１７は薄肉の円筒状を為す第２の筒状体１９の上端部外周に巻回されて固定されている。第２の筒状体１９は、その内径が第２の段部１０の外径と同じに形成されている。そして、第２の筒状体１９はその下端部内面が位置決め部８の第２の段部１０の第２の段差面１０ａに接着され、また、第２の筒状体１９の上端部の内周面がセンタープレート１２の外周面に接着されている。
【００４３】
第２の筒状体１９に固定された内周側１次コイル１７のヨーク２への固定は、例えば、予めセンタープレート１２に第２の筒状体１９を外嵌してその上端部の内面をセンタープレート１２に接着しておき、センタープレート１２に固定した状態で第２の筒状体１９を上方からヨーク２内へ挿入して下端部を第２の段差面１０ａに接着することにより行う。そして、第２の筒状体１９を位置決め部８の第２の段部１０に外嵌することによりヨーク２に対する内周側１次コイル１７の位置決めが為され、これによりヨーク２に取り付けられたマグネット３に対するセンタープレート１２の位置決めも同時に為されることになる。尚、マグネット３へのセンタープレート１２への固定は、接着、ネジ止め等の適宜の手段を用いて行われる。
【００４４】
しかして、上記したように、内磁型電磁誘導スピーカー１にあっては、ヨーク２に位置決め部８が形成され、外周側１次コイル１６が固定された第１の筒状体１８及び内周側１次コイル１７が固定された第２の筒状体１９をそれぞれ位置決め部８の第１の段部９及び第２の段部１０に外嵌するだけで、外周側１次コイル１６及び内周側１次コイル１７のヨーク２に対する位置決めを行うことができる。
【００４５】
従って、外周側１次コイル１６及び内周側１次コイル１７のヨーク２に対する位置決めを極めて容易に行うことができ、ギャップゲージを用いる必要がないためギャップゲージの外周側１次コイル１６又は内周側１次コイル１７への接触によるヨーク２等からの脱落の虞もない。
【００４６】
また、第１の筒状体１８が位置決め部８の第１の段差面９ａに接着されると共に第１の筒状体１８に固定された外周側１次コイル１６が環状プレート７に接着され、また、第２の筒状体１９が位置決め部８の第２の段差面１０ａに接着されると共にセンタープレート１２に接着されるため、接着箇所が増加することにより接着面積が大きくなり、外周側１次コイル１６及び内周側１次コイル１７の接着強度が向上する。
【００４７】
尚、上記した位置決め部８はヨーク２の底面部５に２つの段部９、１０を形成するだけでよく、位置決め部８の形成が容易である。
【００４８】
また、上記した位置決め部８はヨーク２の中心部が最も上方に位置するように段部９、１０を形成したが、逆に、ヨーク２の中心部が最も下方に位置するように底面が段階的に下方へ変位するような凹部を形成して位置決め部を設けるようにしてもよい。
【００４９】
図１に示した内磁型電磁誘導スピーカー１は、１次コイルが２次コイルを挟んで互いに対向するように配置されているものであるが、本発明は図２に示すような１次コイルが２次コイルの一方の側にのみ配置されている内磁型電磁誘導スピーカー１Ａに適用することもできる。
【００５０】
尚、以下に示す内磁型電磁誘導スピーカー１Ａは、上記した内磁型電磁誘導スピーカー１と比較して、１次コイルが２次コイルの一方の側にのみ配置されていること及びこれに対応して位置決め部として段部が一つのみ設けられていることのみが相違するため、内磁型電磁誘導スピーカー１Ａの説明にあっては、内磁型電磁誘導スピーカー１と比較して異なる部分についてのみ詳細に説明をし、その他の部分については内磁型電磁誘導スピーカー１における同様の部分に付した符号と同じ符号を付して説明は省略する。
【００５１】
位置決め部８Ａは円板状の段部１０Ａが形成されて成り、その外周面１０ｃが段差面として形成されている。
【００５２】
磁気ギャップ１３内には２次コイル１５とセンタープレート１２の間に１次コイル１７Ａが配置されている。そして、１次コイル１７Ａは信号引出線１７ａに接続されている。
【００５３】
１次コイル１７Ａは薄肉の円筒状を為す筒状体１９Ａの上端部外周に巻回されて固定されている。筒状体１９Ａは、その内径が段部１０Ａの外径と同じに形成されている。そして、筒状体１９Ａはその下端部内面が位置決め部８Ａの段部１０Ａの段差面１０ｃに接着され、また、筒状体１９Ａの上端部の内周面がセンタープレート１２の外周面に接着されている。
【００５４】
筒状体１９Ａに固定された１次コイル１７Ａのヨーク２への固定は、例えば、予めセンタープレート１２に筒状体１９Ａを外嵌してその上端部の内面をセンタープレート１２に接着しておき、センタープレート１２に固定した状態で筒状体１９Ａを上方からヨーク２内へ挿入して下端部を段差面１０ｃに接着し、マグネット３にセンタープレート１２を接着等により固定することにより行われる。
【００５５】
しかして、内磁型電磁誘導スピーカー１Ａのように、１次コイル１７Ａが２次コイル１５の一方の側にのみ配置されているものであっても、１次コイル１７Ａのヨーク２に対する位置決めを極めて容易に行うことができる。
【００５６】
尚、上記した位置決め部８Ａは段部１０Ａとして設けたが、位置決め部８Ａを凹部として形成し、筒状体１９Ａの下端部外周面を凹部の周面に接着するようにしてもよい。
【００５７】
また、上記した内磁型電磁誘導スピーカー１Ａは、磁気ギャップ１３内における２次コイル１５とセンタープレート１２の間に１次コイル１７Ａを配置して成るものであるが、磁気ギャップ１３内における２次コイル１５と環状プレート７の間に１次コイルを配置して成るものであってもよい。
【００５８】
図３に示す内磁型電磁誘導スピーカー１Ｂは、外周側１次コイルが固定された第１の筒状体を環状プレート７に直接接着したものである。
【００５９】
尚、以下に示す内磁型電磁誘導スピーカー１Ｂは、上記した内磁型電磁誘導スピーカー１と比較して、第１の筒状体が環状プレートに直接接着されたことのみが相違するため、内磁型電磁誘導スピーカー１Ｂの説明にあっては、内磁型電磁誘導スピーカー１と比較して異なる部分についてのみ詳細に説明をし、その他の部分については内磁型電磁誘導スピーカー１における同様の部分に付した符号と同じ符号を付して説明は省略する。
【００６０】
外周側１次コイル１６は薄肉の円筒状を為す第１の筒状体１８Ａの上端部内周に巻回されて固定されている。第１の筒状体１８Ａは、その内径が第１の段部９の外径と同じに形成されている。そして、第１の筒状体１８Ａはその下端部内面が位置決め部８の第１の段部９の第１の段差面９ａに接着され、また、第１の筒状体１８Ａの外周面が環状プレート７の内周面に接着されている。
【００６１】
一般に、１次コイルを環状プレートの内面に直接接着する場合には、１次コイルの外周面が平らでないため接着剤で平面を作ってから接着しなければならず非常に手間がかかり、また、筒状体をヨーク内に挿入する際に１次コイルが環状プレートの内面と接触して１次コイルに損傷が生じてしまう虞がある。
【００６２】
ところが、上記した内磁型電磁誘導スピーカー１Ｂのように、第１の筒状体１８Ａを介して外周側１次コイル１６を環状プレート７に接着することにより、接着作業が非常に容易になると共に外周側１次コイル１６が環状プレート７に接触して損傷が生じてしまうようなことがない。
【００６３】
図４に示す内磁型電磁誘導スピーカー１Ｃは、位置決め部を環状の溝として形成したものである。
【００６４】
尚、以下に示す内磁型電磁誘導スピーカー１Ｃは、上記した内磁型電磁誘導スピーカー１と比較して、位置決め部が環状の溝として形成されていることのみが相違するため、内磁型電磁誘導スピーカー１Ｃの説明にあっては、内磁型電磁誘導スピーカー１と比較して異なる部分についてのみ詳細に説明をし、その他の部分については内磁型電磁誘導スピーカー１における同様の部分に付した符号と同じ符号を付して説明は省略する。
【００６５】
位置決め部８Ｂは底面部５に形成された同心円上に位置する２つの円環状の第１の溝２０及びその内側に位置する第２の溝２１から成る。
【００６６】
外周側１次コイル１６は第１の筒状体１８の上端部外周に巻回されて固定されている。そして、第１の筒状体１８の下端部が第１の溝２０内に固定されると共に外周側１次コイル１６の外周面が環状プレート７の内周面に接着されている。
【００６７】
第１の筒状体１８に固定された外周側１次コイル１６のヨーク２への固定は、例えば、第１の筒状体１８を上方からヨーク２内へ挿入して下端部を第１の溝２０内に固定すると共に外周側１次コイル１６の外周面を環状プレート７の内周面に接着することにより行う。
【００６８】
内周側１次コイル１７は第２の筒状体１９の上端部外周に巻回されて固定されている。そして、第２の筒状体１９の下端部が第２の溝２１内に固定されると共に第２の筒状体１９の上端部内周面がセンタープレート１２の外周面に接着されている。
【００６９】
第２の筒状体１９に固定された内周側１次コイル１７のヨーク２への固定は、例えば、予めセンタープレート１２に第２の筒状体１９を外嵌してその上端部の内面をセンタープレート１２に接着しておき、センタープレート１２に固定した状態で第２の筒状体１９を上方からヨーク２内へ挿入して下端部を第２の溝２１に固定することにより行う。
【００７０】
しかして、上記した位置決め部８Ｂはヨーク２の底面部５に２つの溝２０、２１を形成するだけでよく、位置決め部８Ａの形成が極めて容易である。
【００７１】
また、内磁型電磁誘導スピーカー１Ｃにあっては、第１の筒状体１８及び第２の筒状体１９をそれぞれ第１の溝２０及び第２の溝２１に嵌め込むようにして固定しているので、外周側１次コイル１６及び内周側１次コイル１７の取付強度の一層の向上を図ることができる。
【００７２】
次に、第２の実施の形態として、図５に示す外磁型電磁誘導スピーカー２２について説明する。
【００７３】
外磁型電磁誘導スピーカー２２はヨーク２３とマグネット２４と振動板２５とを備えている。
【００７４】
ヨーク２３は底面部２６と該底面部２６の中心部から上方へ突出されたセンターポール２７とが一体に形成されて成り、該センターポール２７はセンター部材として形成されている。そして、底面部２６の中心部の上面には位置決め部２８が一体に形成されている。
【００７５】
位置決め部２８は円板状を為す段部２９として形成されている。そして、段部２９の外周面２９ａは段差面として形成され、上面２９ｂが底面部２６の上面より稍上方に位置されている。また、センターポール２７は段部２９の上面２９ｂの中央部に一体に設けられている。
【００７６】
底面部２６の上面の外端部に円筒状のマグネット２４が取り付けられている。そして、マグネット２４は、例えば、底面部２６の上面に形成された図示しない位置決め凹部に配置されることにより、段部２９及びセンターポール２７と同軸上に配置される。
【００７７】
マグネット２４の上面には円環状の環状プレート３０が取り付けられており、該環状プレート３０はセンターポール２７の上端部に対応して位置されており、即ち、環状プレート３０の中心孔３０ａ内にセンターポール２７の上端部が位置されている。そして、環状プレート３０の外端部上面がフレーム３１に取り付けられている。また、環状プレート３０とセンターポール２７との間に形成された間隙が磁気ギャップ３２として形成されている。
【００７８】
環状プレート３０の内周面は位置決め部２８の段部２９の中心軸を基準として該段部２９の段差面２９ａより稍外側に位置されている。
【００７９】
振動板２５は中央部に位置する断面形状で円弧状を為す中央部２５ａと該中央部２５ａの外周に連続して設けられ外方へ行くに従って上方へ変位する傾斜部２５ｂと該傾斜部２５ｂの外周に連続したエッジ部２５ｃと中央部２５ａの外周に連続して設けられ傾斜部２５ｂと反対方向へ突出する固定部３３とから成り、エッジ部２５ｃの外端部がフレーム３１の外端部上面に取り付けられている。そして、固定部３３の先端部には円筒状のボビン３４の上端部が接着等により固定されている。
【００８０】
ボビン３４の下端寄りの部分には１ターンの２次コイル３５が巻回されて固定され、該２次コイル３５が環状プレート３０とセンターポール２７との間に形成された磁気ギャップ３２内に位置されている。
【００８１】
磁気ギャップ３２内には２次コイル３５を挟んで対向するようにして外周側１次コイル３６と内周側１次コイル３７とが配置されている。外周側１次コイル３６は環状プレート３０の内周面に固定され、内周側１次コイル３７はセンターポール２７の外周面の上端部に固定され、外周側１次コイル３６と内周側１次コイル３７は直列に接続されている。そして、外周側１次コイル３６と内周側１次コイル３７の一端はそれぞれ信号引出線３６ａ、３７ａに接続されている。
【００８２】
外周側１次コイル３６は薄肉の円筒状を為す第１の筒状体３８の上端部外周に巻回されて固定されている。第１の筒状体３８は、その内径が位置決め部２８の段部２９の外径と同じに形成されている。そして、第１の筒状体３８はその下端部内面が段部２９の段差面２９ａに接着され、また、第１の筒状体３８に固定された外周側１次コイル３６の外周面が環状プレート３０の内周面に接着されている。
【００８３】
第１の筒状体３８に固定された外周側１次コイル３６のヨーク２３への固定は、例えば、予め環状プレート３０の内周面に第１の筒状体３８に固定された外周側１次コイル３６を接着しておき、環状プレート３０に固定した状態で第１の筒状体３８を上方からマグネット２４の中心孔２４ａ内へ挿入して下端部を位置決め部２８の段部２９の段差面２９ａに接着することにより行う。そして、第１の筒状体３８を段部２９に外嵌することによりヨーク２に対する外周側１次コイル３６の位置決めが為され、これによりヨーク２に取り付けられたマグネット２４に対する環状プレート３０の位置決めも同時に為されることになる。尚、マグネット２４への環状プレート３０への固定は、接着、ネジ止め等の適宜の手段を用いて行われる。
【００８４】
内周側１次コイル３７は薄肉の円筒状を為す第２の筒状体３９の上端部外周に巻回されて固定されている。第２の筒状体３９は、その内径がセンターポール２７の外径と略同じに形成されている。そして、第２の筒状体３９はその内面がセンターポール２７に外嵌された状態で接着されている。
【００８５】
第２の筒状体３９に固定された内周側１次コイル３７のセンターポール２７への固定は、例えば、第２の筒状体３９をセンターポール２７に外嵌して接着することにより行う。
【００８６】
しかして、上記したように、外磁型電磁誘導スピーカー２２にあっては、ヨーク２に位置決め部２８が形成され、外周側１次コイル３６が固定された第１の筒状体３８及び内周側１次コイル３７が固定された第２の筒状体３９をそれぞれ位置決め部２８の段部２９及びヨーク２と一体に形成されたセンターポール２７に外嵌するだけで、外周側１次コイル３６及び内周側１次コイル３７のヨーク２に対する位置決めを行うことができる。
【００８７】
従って、外周側１次コイル３６及び内周側１次コイル３７のヨーク２に対する位置決めを極めて容易に行うことができ、ギャップゲージを用いる必要がないためギャップゲージによる外周側１次コイル３６又は内周側１次コイル３７への接触によるヨーク２等からの脱落の虞がない。
【００８８】
また、第１の筒状体３８が位置決め部２８の段差面２９ａに接着されると共に第１の筒状体３８に固定された外周側１次コイル３６が環状プレート３０に接着され、また、第２の筒状体３９がセンターポール２７に接着されるため、接着面積が大きくなり、外周側１次コイル３６及び内周側１次コイル３７の接着強度が向上する。
【００８９】
尚、上記した位置決め部２８はヨーク２の底面部２６に段部２９を形成するだけでよく、位置決め部２８の形成が容易である。
【００９０】
また、上記した位置決め部２８を上方に突出する段部２９として形成しているが、逆に、位置決め部を上方に開口する凹部として形成し第１の筒状体３８を凹部の周面に接着するようにしてもよい。さらに、位置決め部を環状の溝として形成し、該溝に第１の筒状体３８の下端部を挿入して固定するようにしてもよい。
【００９１】
また、上記には、外磁型電磁誘導スピーカー２２に２次コイル３５を挟んで互いに対向する外周側１次コイル３６と内周側１次コイル３７を配置したものを示したが、１次コイルが２次コイルの外周側又は内周側の一方の側にのみ配置されている外磁型電磁誘導スピーカーであってもよい。
【００９２】
さらに、上記した外磁型電磁誘導スピーカー２２は、外周側１次コイル３６を環状プレート３０に直接接着したものを示したが、外周側１次コイルを第１の筒状体の内周面に固定し該第１の筒状体の内周面上端部を環状プレート３０に直接接着するようにしてもよい。
【００９３】
尚、上記した各実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【００９４】
【発明の効果】
以上に記載したところから明らかなように、本発明スピーカー装置は、振動板に固定されたボビンと、マグネットと共に磁気回路を形成し位置決め部が形成されたヨークと、磁気ギャップ内に配置され音声信号が入力される１次コイルと、上記ボビンに設けられると共に上記磁気ギャップ内に配置される２次コイルとを備え、２次コイルに対向する上端部に上記１次コイルが固着されると共に、下端部がヨークの底部に設けられた位置決め部に取り付けられた筒状体を設け、上記１次コイルは上記筒状体に固定されることにより上記筒状体に沿って上記ヨークの底部の位置決め部まで案内されるようにしたことを特徴とする。
【００９５】
従って、１次コイルのヨークに対する位置決めを極めて容易に行うことができ、ギャップゲージを用いる必要がないためギャップゲージの１次コイルへの接触によるヨーク等からの脱落の虞がない。
【００９６】
また、１次コイルの直接的な又は筒状体を介しての取付面積が大きくなり、取付強度の向上を図ることができる。
【００９７】
請求項２に記載した発明は、中心孔を有する環状プレートと、環状プレートの内側に配置されるセンター部材とを備え、上記磁気ギャップが環状プレートとセンター部材との間に形成され、上記１次コイルが、環状プレートと２次コイルとの間又はセンター部材と２次コイルとの間に配置されたことを特徴とする。
【００９８】
このように１次コイルが２次コイルの一方の側にのみ配置されているものであっても、１次コイルのヨークに対する位置決めを極めて容易に行うことができる。
【００９９】
請求項３に記載した発明にあっては、中心孔を有する環状プレートと、環状プレートの内側に配置されるセンター部材とを設け、上記磁気ギャップを環状プレートとセンター部材との間に形成し、上記１次コイルを環状プレートの内周面に筒状体を介して固着し又はセンター部材の外周面に筒状体を介して固着したので、固着作業が非常に容易になると共に１次コイルが環状プレート又はセンター部材に接触して損傷が生じてしまうようなことがない。
【０１００】
請求項４に記載した発明は、中心孔を有する環状プレートと、環状プレートの内側に配置されるセンター部材とを備え、上記磁気ギャップが環状プレートとセンター部材との間に形成され、上記１次コイルが、環状プレートと２次コイルとの間及びセンター部材と２次コイルとの間にそれぞれ配置されたことを特徴とする。
【０１０１】
このように１次コイルが２次コイルを挟んで配置されているものであっても、１次コイルのヨークに対する位置決めを極めて容易に行うことができる。
【０１０２】
請求項５に記載した発明にあっては、上記ヨークに設けた位置決め部を段部として形成したので、位置決め部の形成が容易である。
【０１０３】
請求項６に記載した発明にあっては、上記ヨークに設けた位置決め部を環状の溝として形成したので、位置決め部の形成が極めて容易である。
【０１０４】
また、筒状体を溝に嵌め込むことにより固定できるため、１次コイルの取付強度の一層の向上を図ることができる。
【図面の簡単な説明】
【図１】本発明スピーカー装置を内磁型電磁誘導スピーカーに適用した第１の実施の形態を示す概略縦断面図である。
【図２】１次コイルが２次コイルの一方の側にのみ配置されている内磁型電磁誘導スピーカーを示す概略縦断面図である。
【図３】第１の筒状体が直接環状プレートに固定された内磁型電磁誘導スピーカーを示す概略縦断面図である。
【図４】位置決め部が溝として形成された内磁型電磁誘導スピーカーを示す概略縦断面図である。
【図５】本発明スピーカー装置を外磁型電磁誘導スピーカーに適用した第２の実施の形態を示す概略縦断面図である。
【図６】従来の内磁型電磁誘導スピーカーを示す概略縦断面図である。
【図７】従来の外磁型電磁誘導スピーカーを示す概略縦断面図である。
【符号の説明】
１…内磁型電磁誘導スピーカー（スピーカー装置）、２…ヨーク、３…マグネット、４…振動板、７…環状プレート、７ａ…中心孔、８…位置決め部、９…第１の段部（段部）、１０…第２の段部（段部）、１２…センタープレート（センター部材）、１３…磁気ギャップ、１４…ボビン、１５…２次コイル、１６…外周側１次コイル（１次コイル）、１７…内周側１次コイル（１次コイル）、１８…第１の筒状体（筒状体）、１９…第２の筒状体（筒状体）、１Ａ…内磁型電磁誘導スピーカー（スピーカー装置）、８Ａ…位置決め部、１０Ａ…段部、１７Ａ…１次コイル、１９Ａ…筒状体、１Ｂ…内磁型電磁誘導スピーカー（スピーカー装置）、１８Ａ…第１の筒状体（筒状体）、１Ｃ…内磁型電磁誘導スピーカー（スピーカー装置）、８Ｂ…位置決め部、２０…第１の溝（溝）、２１…第２の溝（溝）、２２…外磁型電磁誘導スピーカー（スピーカー装置）、２３…ヨーク、２４…マグネット、２５…振動板、２７…センターポール（センター部材）、２８…位置決め部、２９…段部、３０…環状プレート、３０ａ…中心孔、３２…磁気ギャップ、３４…ボビン、３５…２次コイル、３６…外周側１次コイル（１次コイル）、３７…内周側１次コイル（１次コイル）、３８…第１の筒状体（筒状体）、３９…第２の筒状体（筒状体）
【図１】
0003978904.tif 000002
【図２】
0003978904.tif 000003
【図３】
0003978904.tif 000004
【図４】
0003978904.tif 000005
【図５】
0003978904.tif 000006
【図６】
0003978904.tif 000007
【図７】
0003978904.tif 000008